(57)【要約】【課題】原料供給回転シュートを安定して円滑に回転させることにより、破砕機破砕室に破砕原料を均等に供給するとともに、原料供給回転シュートを回転可能に支持する水平及び垂直方向の機械的支持部分の早期損傷を防止すること。【解決手段】原料供給回転シュート４と、旋動式破砕機の主軸上端支持機構上に設けられ、原料供給回転シュート４の底部下側に設けられた転がり軸受３を介して原料供給回転シュート４を回転可能に支持する垂直方向支持機構と、原料供給回転シュート上部の外周面に等角度間隔に配置された複数の水平支持輪９Ａ〜９Ｃと、水平支持輪９Ａ〜９Ｃを原料供給回転シュート４の中心に対して進退可能に位置調整する水平支持輪位置調整装置と、水平支持輪９Ａ〜９Ｃのうちの１個の水平支持輪９Ａに結合され、原料供給回転シュート４を回転させるための電動機１１とを備えたことを特徴とする旋動式破砕機用原料供給装置。【選択図】　　　　　図２
2004113978.tif 000002
【特許請求の範囲】
【請求項１】
破砕原料が投入される原料供給回転シュートと、旋動式破砕機の主軸上端支持機構の上部に設けられ、前記原料供給回転シュートの下側に設けられた転がり軸受を介して前記原料供給回転シュートを回転可能に支持する原料供給回転シュート垂直方向支持機構と、前記原料供給回転シュート上部の外周面に間隔をおいて配置され、前記原料供給回転シュートを水平方向において支持する複数の水平支持輪と、前記複数の水平支持輪のうち少なくとも１個の水平支持輪に結合され、前記原料供給回転シュートを回転させるための駆動機とを備えたことを特徴とする旋動式破砕機用原料供給装置。
【請求項２】
前記水平支持輪がゴムタイヤからなるものであることを特徴とする請求項１記載の旋動式破砕機用原料供給装置。
【請求項３】
前記水平支持輪がコア入りタイヤからなるものであることを特徴とする請求項２記載の旋動式破砕機用原料供給装置。
【請求項４】
前記水平支持輪を前記原料供給回転シュートに対して進退可能に位置調整する水平支持輪位置調整装置を備えていることを特徴とする請求項１〜３のいずれか１項に記載の旋動式破砕機用原料供給装置。
【請求項５】
前記原料供給回転シュートは、有底筒状をなし、底部にデッドストック領域を有するとともに、周壁に複数の原料放出用開口を有した構成となされたものであることを特徴とする請求項１〜４のいずれか１項に記載の旋動式破砕機用原料供給装置。
【発明の詳細な説明】
【０００１】
【発明の属する技術分野】
本発明は、旋動式破砕機にオプション装備（選択的装備）される旋動式破砕機用原料供給装置に関するものである。
【０００２】
【従来の技術】
旋動式破砕機用原料供給装置（以下、単に原料供給装置ともいう）は、旋動式破砕機の上部フレーム上端に固着された破砕機ホッパの上部に設けられて、上部フレームの内周面に装着されたコーンケーブと主軸に取り付けられたマントルとの間に形成される旋動式破砕機の破砕室に、上方より破砕原料（原石）を破砕室周方向において均等に供給するための装置である。この種の旋動式破砕機用原料供給装置の一例として特公昭６１−５６０２３号公報（特許文献１、発明の名称：旋動式破砕機の原料均等供給装置）に示されているものがあり、これを図６を用いて説明する。
【０００３】
図６に示すように、旋動式破砕機の破砕機ホッパ５１の上部に原料供給装置が設けられている。この原料供給装置は、投入シュート６１とこの投入シュート６１の外周側中高部に嵌合固定した円板６１ｂと投入シュート６１の下部の垂直円筒部６１ａの下端に連ねた複数の排出シュート６２とからなる原料供給シュート６３を、破砕機ホッパ５１の上端に設けた支持フレーム６４，６５上にて等角度間隔にて配設された垂直支持輪６６及び水平支持輪６７にて垂直及び水平方向に支持したものである。すなわち、１２０°間隔にて配設された３個の垂直支持輪６６にて前記円板６１ｂを支持し、平面視において隣り合う垂直支持輪６６の間に位置するように１２０°間隔にて配設された３個の水平支持輪６７にて前記垂直円筒部６１ａを支持している。そして、３個の垂直支持輪６６のうちの１個の垂直支持輪６６は、支持フレーム６４上に設けた電動機６８の出力軸に支持して、電動機６８にて回転し、原料供給シュート６３を回転するようにされている。
【０００４】
直接に電動機６８で回転させる垂直支持輪６６は、原料供給シュート６３の中心に向って進退可能且つ固定可能になされている。また、前記水平支持輪６７は、原料供給シュート６３の中心に向って位置調整可能となっている。本例では、水平支持輪６７を取り付けたブラケット６９を、支持フレーム６５上でアジャスター装置７０により原料供給シュート６３の中心に向って進退可能且つ固定可能に設けている。これらの垂直支持輪６６及び水平支持輪６７は、その軸及び軸受を粉塵による摩耗を防止するために、グリース密封式となし、且つ圧縮して組付支持するために、ゴムタイヤとなされている。
【０００５】
【特許文献１】
特公昭６１−５６０２３号公報（第３−５図）
【０００６】
【発明が解決しようとする課題】
しかし、前述した従来の旋動式破砕機用原料供給装置では、複数の垂直支持輪６６と複数の水平支持輪６７とにより原料供給シュート６３を回転可能に支持し、電動機６８により前記垂直支持輪６６のうちの１個の垂直支持輪６６を回転駆動して原料供給シュート６３を回転させるようにしたものであるから、次のような問題があった。垂直支持輪６６に関し、原料供給シュート６３外周に固着された円環状の円板６１ｂにおける垂直支持輪６６との接触部分では、円板６１ｂの内周側部分（原料供給シュート６３中心側部分）と外周側部分とで垂直支持輪６６の接触幅（タイヤ幅）に応じた周速度差が生じる。この周速度差により垂直支持輪６６には常時ねじれが発生しているため、垂直支持輪６６の軸や軸受が変形してこれらの早期損傷が発生するおそれがある。特に、電動機６８で直接に駆動される垂直支持輪については、電動機による駆動トルクが常時作用しているため、損傷度合いがさらに激しく、より早い段階で早期損傷が発生することになる。
【０００７】
また、原料供給シュート６３内に破砕原料が供給されたとき、破砕原料の落下による衝撃力が原料供給シュート６３に加わる。ゴムタイヤからなる垂直支持輪６６は、この大きな衝撃力を受けることで、そのゴム部分が変形と復元を繰り返すことになる。さらに、水平方向における支持については、原料供給シュート６３を高さ方向における略中間にある垂直円筒部６１ａの位置のみにておいて水平支持輪６７で支持するようになされている。これらのことから、稼動時に破砕機本体が周方向に揺動した際に原料供給シュート６３を安定して円滑に回転させる点において十分でなかった。このため、破砕機破砕室に破砕原料を破砕室周方向において均等に供給する点について改善の余地があり、また、変動荷重が作用することで水平支持輪６７や垂直支持輪６６に早期損傷が発生するおそれが多分にあった。
【０００８】
本発明はこのような事情に鑑みてなされたものであって、本発明の目的は、原料供給回転シュートを安定して円滑に回転させることができ、これにより破砕機破砕室に破砕原料を破砕室周方向において均等に供給することができるとともに、前記原料供給回転シュートを回転可能に支持する水平方向及び垂直方向の機械的支持部分の早期損傷を防止することができるようにした、旋動式破砕機用原料供給装置を提供することにある。
【０００９】
【課題を解決するための手段】
前記目的を達成するために、本願発明では次の技術的手段を講じている。請求項１の発明は、破砕原料が投入される原料供給回転シュートと、旋動式破砕機の主軸上端支持機構の上部に設けられ、前記原料供給回転シュートの下側に設けられた転がり軸受を介して前記原料供給回転シュートを回転可能に支持する原料供給回転シュート垂直方向支持機構と、前記原料供給回転シュート上部の外周面に間隔をおいて配置され、前記原料供給回転シュートを水平方向において支持する複数の水平支持輪と、前記複数の水平支持輪のうち少なくとも１個の水平支持輪に結合され、前記原料供給回転シュートを回転させるための駆動機とを備えたことを特徴とする旋動式破砕機用原料供給装置である。
【００１０】
請求項２の発明は、前記請求項１記載の旋動式破砕機用原料供給装置において、前記水平支持輪がゴムタイヤからなるものであることを特徴とするものである。
【００１１】
請求項３の発明は、前記請求項２記載の旋動式破砕機用原料供給装置において、前記水平支持輪がコア入りタイヤからなるものであることを特徴とするものである。
【００１２】
請求項４の発明は、請求項１〜３のいずれか１項に記載の旋動式破砕機用原料供給装置において、前記水平支持輪を前記原料供給回転シュートに対して進退可能に位置調整する水平支持輪位置調整装置を備えていることを特徴とするものである。
【００１３】
請求項５の発明は、請求項１〜４のいずれか１項に記載の旋動式破砕機用原料供給装置において、前記原料供給回転シュートは、有底筒状をなし、底部にデッドストック領域を有するとともに、周壁に複数の原料放出用開口を有した構成となされたものであることを特徴とするものである。
【００１４】
本発明による旋動式破砕機用原料供給装置は、旋動式破砕機の主軸上端支持機構の上部に設けられ、原料供給回転シュートの下側に設けられた転がり軸受を介して原料供給回転シュートを回転可能に支持する原料供給回転シュート垂直方向支持機構と、原料供給回転シュート上部の外周面に間隔をあけて配置された複数の水平支持輪とにより、原料供給回転シュートを垂直方向と水平方向とにおいて支持し、複数の水平支持輪のうち少なくとも１個の水平支持輪に結合された駆動機（例えば電動機）を回転駆動して原料供給回転シュートを回転させるように構成されている。
【００１５】
これにより、本発明による旋動式破砕機用原料供給装置は、従来のゴムタイヤからなる垂直支持輪とは違って、前記転がり軸受により原料供給回転シュートを垂直方向において上下動なく安定に支持することができる。また、この原料供給回転シュート垂直方向支持機構の前記転がり軸受は、上下の垂直方向だけでなく、水平方向の荷重支持が可能である。これにより、従来装置とは違って、原料供給回転シュート上部の外周面に配置された複数の水平支持輪と、原料供給回転シュート下側に設けられた前記転がり軸受とによって原料供給回転シュートの上下部において水平方向に対する支持を行うようにしたので、原料供給回転シュートを水平方向においても変動なく安定に支持することができる。
【００１６】
よって、本発明による旋動式破砕機用原料供給装置によれば、原料供給回転シュートを安定して円滑に回転させることができるので、破砕機破砕室に破砕原料を破砕室周方向において均等に供給することができ、これにより破砕機破砕室のコーンケーブの偏摩耗を防いで、破砕品品質を良好に維持することができる。また、前記のように原料供給回転シュートを安定して円滑に回転させることができるので、原料供給回転シュートを回転可能に支持する水平方向及び垂直方向の機械的支持部分（水平支持輪の軸や軸受、垂直方向支持機構の転がり軸受など）の早期損傷を防止することができる。
【００１７】
本発明による旋動式破砕機用原料供給装置においては、水平支持輪がゴムタイヤからなるものがよい。ゴムタイヤからなる水平支持輪によれば、弾性を有しているので、原料供給回転シュートが水平方向に大きな変動荷重を受けた場合、原料供給回転シュートに対して原料供給回転シュートの中心よりの位置ずれを解消するように反力が働くことになる。
【００１８】
ゴムタイヤからなる水平支持輪のうちでも、コア入りタイヤ（ソリッドタイヤ）であることがよい。上方より原料供給回転シュート内に供給された破砕原料（原石）は、デッドストックから外れて底板にぶっかって衝撃で砕け、その破片が飛び散る場合がある。その場合、水平支持輪と原料供給回転シュートとの間に前記破片がかみ込み、空気入りタイヤではパンクすることがある。コア入りタイヤ（ソリッドタイヤ）からなる水平支持輪によれば、パンクによる装置停止を回避することができる。
【００１９】
本発明による旋動式破砕機用原料供給装置においては、前記水平支持輪を原料供給回転シュート上部の外周面に、原料供給回転シュート回転中心に対して等角度間隔に少なくとも合計３個配置することがよい。このようにすると、原料供給回転シュートの回転を原料供給回転シュート垂直方向支持機構の軸線を中心として行われるように拘束して、駆動機に結合された水平支持輪による回転力を原料供給回転シュートに確実に伝達することができる。この場合、複数の水平支持輪を原料供給回転シュートに対して進退可能に位置調整する水平支持輪位置調整装置を備えたものでは、原料供給回転シュートが回転中心にセンタリングされた状態で水平方向において均等に押圧されるように、容易に複数の水平支持輪の位置調整を行うことができる。
【００２０】
本発明による旋動式破砕機用原料供給装置においては、有底筒状をなし、底部にデッドストック領域を有するとともに、周壁に複数の原料放出用開口を有した構成となされた原料供給回転シュートを備えたものでは、上方より投入されてデッドストック上に落下した破砕原料を、原料供給回転シュートの回転による遠心力により、デッドストックの周りに均等に分散させ、原料供給回転シュートの周壁の各原料放出用開口より均等に放出させることができるので、このデッドストック領域を有する原料供給回転シュートの作用と前記した原料供給回転シュートの安定回転とが相俟って、より良好に、旋動式破砕機の破砕室に破砕原料を破砕室周方向において均等に供給することができる。
【００２１】
【発明の実施の形態】
以下、図面を参照しながら本発明の実施の形態について説明する。図１は本発明の一実施形態による旋動式破砕機用原料供給装置の構成を示す平面図であり、図２は図１に示す旋動式破砕機用原料供給装置の構成を説明するための正面縦断面図であって、原料供給回転シュートについては左半分を断面示してある。
【００２２】
図２において、３１は旋動式破砕機の上下方向に延びる主軸であり、主軸３１の上部が図示されている。３２は主軸３１の上端を支持する上部軸受部であり、上部軸受部３２は、旋動式破砕機の上部フレーム（上部胴体）３３の上端に固着されたスパイダアーム３４によって支持されている。上部軸受部３２及びスパイダアーム３４は主軸上端支持機構を構成している。３５は上部フレーム３３に固着された空断面円形をなす破砕機ホッパである。上部フレーム３３の内周面に装着されたコーンケーブ（図示省略）と主軸３１に取り付けられたマントル（図示省略）との間に旋動式破砕機の破砕室（図示省略）が形成されている。
【００２３】
そして、本実施形態の旋動式破砕機用原料供給装置は、図１，図２に示すように、有底円筒状をなし、且つ底部にデッドストック領域７ｂを有するとともに周壁に複数の原料放出用開口６ａを有し、上方より破砕原料が投入される原料供給回転シュート４と、旋動式破砕機の主軸上端支持機構を構成する前記上部軸受部３２上に設けられ、原料供給回転シュート４の底部下側に設けられた転がり軸受３を介して原料供給回転シュート４を回転可能に支持する原料供給回転シュート垂直方向支持機構と、原料供給回転シュート４の上部の外周に設けられた円形外表面を有するガイドの一例である円筒状のガイドリング８と、ガイドリング８の外周面に周方向に沿って本例では１２０°等角度間隔に配置され、原料供給回転シュート４を水平方向において支持する３個の水平支持輪９Ａ〜９Ｃと、これらの水平支持輪９Ａ〜９Ｃを原料供給回転シュート４の中心に対して進退可能に位置調整する水平支持輪位置調整装置と、前記水平支持輪９Ａ〜９Ｃのうちの１個の水平支持輪９Ａに結合され該水平支持輪９Ａを直接に回転駆動して原料供給回転シュート４を回転させるための駆動機としての電動機１１とを備えている。
【００２４】
図３は図１，図２における原料供給回転シュートの左半分断面示正面図、図４は図１，図２における原料供給回転シュートの平面図、図５は図３における原料供給回転シュートの底部の縦断面図である。
【００２５】
まず、前記原料供給回転シュート垂直方向支持機構と前記原料供給回転シュートについて説明する。図２に示すように、旋動式破砕機の上部軸受部３２上に取り付けられた取付けベース１には、上下方向垂直に延びる回転シュート垂直支持軸２が固定されている。この回転シュート垂直支持軸２に転がり軸受３が環装されている。一方、図３，図４に示すように、原料供給回転シュート４は、水平をなす底部７を構成する平板状の底板７ａ上に、円筒状のシュート周壁６を立設し、底板７ａ下側（裏面側）に底部端垂直円筒体５をブラケットにて固着してある。原料供給回転シュート４の軸線（回転中心線）が底部端垂直円筒体５の中心を通るように、底部端垂直円筒体５は底板７ａ下側に固着されている。そして、前記回転シュート垂直支持軸２に対して転がり軸受３を介して前記底部端垂直円筒体５を回転可能に支持することにより、旋動式破砕機の上部軸受部３２に固着された取付けベース１上に、原料供給回転シュート４を回転可能に支持してある。
【００２６】
前記転がり軸受３は、その内輪が回転シュート垂直支持軸２に固定されており、外輪が原料供給回転シュート４の底部端垂直円筒体５に固定されるように設けられている。旋動式破砕機の上部軸受部３２上に設けられた前記回転シュート垂直支持軸２と、原料供給回転シュート４の底部端垂直円筒体５を回転シュート垂直支持軸２に対して回転可能に支持する転がり軸受３とは、原料供給回転シュート４を回転可能に支持する原料供給回転シュート垂直方向支持機構を構成している。なお、原料供給回転シュート垂直方向支持機構は、回転シュート垂直支持軸と底部端垂直円筒体との取り付け関係が逆であってもよい。
【００２７】
原料供給回転シュート４のシュート周壁６の構造について説明すると、図３，図４に示すように、空断面円形をなすシュート周壁６の上部の外側に、該シュート周壁６と同心状をなしてガイドリング８が取り付けられている。このガイドリング８は、後述する３個の水平支持輪９Ａ〜９Ｃを配置するためのものである。そして、シュート周壁６には、互いに同じ間隔を隔てて複数個、本実施形態では周方向に沿う３個の原料放出用開口６ａが設けられている。各原料放出用開口６ａは、図３に示すように、底板７ａから立ち上がって周方向に沿う正面視矩形をなす開口となされている。シュート周壁６の上部内周面には、全周にわたって鋼製の上部内周用ライナ６ｂがねじ止めによって固着されている。
【００２８】
また、シュート周壁６における隣合う原料放出用開口６ａの間の部分（本実施形態では３箇所）が、この部分に平板状をなす鋼製のサイド用ライナ６ｃをボルト締めによって取り付けることにより、デッドストック領域となされている。このサイド用ライナ６ｃの幅方向における両側に、サイド用ライナ６ｃ表面から突出する状態で、上下方向に延びる角柱状の鋼製仕切り部材６ｄが取り付けられている。本実施形態では合計３つのデッドストック領域が設けられている。
【００２９】
次に、原料供給回転シュート４の底部７の構造について、図３，図４，図５を参照して説明する。前記した平板状の底板７ａは、三角形の３つの頂点部分が切り落とされた形状であって、六角形をなしている。図４に示すように、この底板７ａ上に原料供給回転シュート軸心を中心として平面視九角形をなす円形に近い形状のデッドストック領域７ｂが設けられている。この底板７ａ上に、デッドストック領域７ｂの周りを取り囲むようにして該デッドストック領域７ｂを除く残りのほぼ全域に、本実施形態では９個に分割された平板状の鋼製の底板用ライナ７ｃがねじ止めによって固着されている。そして、各底板用ライナ７ｃのデッドストック領域７ｂに臨む直線辺上に、該底板用ライナ７ｃ表面から上方へ突出し、かつ、デッドストック領域７ｂ中心側へ突出する状態で、水平方向に延びる角柱状の鋼製仕切り部材７ｄが取り付けられている。この本実施形態では合計９本の鋼製仕切り部材７ｄが取り付けられている。この９本の鋼製仕切り部材７ｄは、デッドストック領域７ｂを取り囲む環状突起部を構成している。
【００３０】
次に、原料供給回転シュート４を回転させるための駆動機構について説明する。図１，図２に示すように、破砕機ホッパ３５の上端に、断面コ字形をなすチャンネル材（みぞ形鋼材）を六角形に連結してなる支持フレーム１０が固着されている。電動機１１は、出力軸が上下方向垂直をなす姿勢で可動側ブラケット１２に取り付けられている。電動機１１の出力軸には、コア入りタイヤ（ソリッドタイヤ）からなる水平支持輪９Ａがガイドリング８の外周面に当接する状態で水平姿勢にて連結されている。前記可動側ブラケット１２には、水平方向に延びる四つの長孔１２ａが形成されるとともに、両方の側面に当接片１２ｂがそれぞれ固着されている。可動側ブラケット１２と破砕機ホッパ３５との間に固定側ブラケット１３が配置されており、固定側ブラケット１３は、破砕機ホッパ３５の上端周縁面と前記支持フレーム１０とに固定されている。
【００３１】
この固定側ブラケット１３には二つの調整ねじ保持金具１４が固着されている。二つの調整ねじ保持金具１４の各々には調整ねじ１５がそれぞれ螺合しており、調整ねじ１５を回転させることにより、調整ねじ１５は可動側ブラケット１２に固着された前記当接片１２ｂに対して前進移動、後退移動可能になっている。そして、前記可動側ブラケット１２は、四つの長孔１２ａに挿入されたボルトを介して前記固定側ブラケット１３に取り付けられている。水平支持輪９Ａについて、ガイドリング８の外周面に当接して原料供給回転シュート４をその中心方向へ押圧する力を調整する際には、四つの長孔１２ａに挿入されているボルトを少し緩め、調整ねじ１５を回転させ、可動側ブラケット１２を前進又は後退させる。ガイドリング８に対する水平支持輪９Ａの位置調整が完了すると、前記ボルトを締め付けて可動側ブラケット１２を強固に固定するようにしている。前記可動側ブラケット１２、固定側ブラケット１３及び調整ねじ１５などは、水平支持輪９Ａを原料供給回転シュート４に対して（本実施形態では原料供給回転シュート４の回転中心に対して）進退可能に位置調整する水平支持輪位置調整装置を構成している。
【００３２】
また、原料供給回転シュート４の回転を回転シュート垂直支持軸２の軸線を中心として行われるように拘束して、電動機１１の出力軸に結合された水平支持輪９Ａによる回転力をガイドリング８に確実に伝達するため、図１，図２に示すように、前記水平支持輪９Ａの他に、ガイドリング８の外周面に、原料供給回転シュート４の中心に対して本例では１２０°等角度間隔をなして該ガイドリング８に当接する状態でコア入りタイヤ（ソリッドタイヤ）からなる水平支持輪９Ｂ，９Ｃを配置してある。
【００３３】
水平支持輪９Ｂについて説明すると、水平支持輪９Ｂは、ガイドリング８の外周面に当接する状態で水平姿勢にて可動側ブラケット１６に回転可能に取り付けられている。可動側ブラケット１６には、水平方向に延びる四つの長孔１６ａが形成されるとともに、基端面に当接片１６ｂが固着されている。可動側ブラケット１６と破砕機ホッパ３５との間に固定側ブラケット１７が配置されており、固定側ブラケット１７は、破砕機ホッパ３５の上端周縁面と前記支持フレーム１０とに固定されている。
【００３４】
この固定側ブラケット１７には二つの調整ねじ保持金具１８が固着されている。二つの調整ねじ保持金具１８の各々には調整ねじ１９がそれぞれ螺合しており、調整ねじ１９を回転させることにより、調整ねじ１９は可動側ブラケット１６に固着された前記当接片１６ｂに対して前進移動、後退移動可能になっている。そして、前記可動側ブラケット１６は、四つの長孔１６ａに挿入されたボルトを介して前記固定側ブラケット１７に取り付けられている。この水平支持輪９Ｂについて、ガイドリング８の外周面に当接して原料供給回転シュート４をその中心方向へ押圧する力を調整する際には、四つの長孔１６ａに挿入されているボルトを少し緩め、調整ねじ１９を回転させ、可動側ブラケット１６を前進又は後退させる。ガイドリング８に対する水平支持輪９Ｂの位置調整が完了すると、前記ボルトを締め付けて可動側ブラケット１６を強固に固定するようにしている。
【００３５】
前記可動側ブラケット１６、固定側ブラケット１７及び調整ねじ１９などは、水平支持輪９Ｂを原料供給回転シュート４に対して（本実施形態では原料供給回転シュート４の回転中心に対して）進退可能に位置調整する水平支持輪位置調整装置を構成している。他の水平支持輪９Ｃについても、前記水平支持輪９Ｂと同構成による水平支持輪位置調整装置が備えられている。
【００３６】
このように、３個の水平支持輪９Ａ〜９Ｃにより、原料供給回転シュート４は、ガイドリング８が均等に押圧される状態で水平方向において支持されている。なお、コア入りタイヤ（ソリッドタイヤ）は、例えば、ゴム製のコアタイヤ（弾性体）をゴム製のカバータイヤ（トレッド（接地部）部分）で囲繞した二重構造のものであって、パンク現象を起こすことなく弾力性を持つタイヤである。
【００３７】
このように構成される原料供給装置を備えた旋動式破砕機において、旋動式破砕機の主軸３１の回転方向と原料供給回転シュート４の回転方向とを例えば同一方向に設定し、電動機１１を駆動して水平支持輪９Ａを回転させると、電動機１１による回転力が水平支持輪９Ａを介してガイドリング８に伝達されて、原料供給回転シュート４が回転する。このとき、他の水平支持輪９Ｂ，９Ｃは、ガイドリング８の回転により従動回転する。そして、原料供給回転シュート４の上方に配されたベルトコンベヤのヘッドシュートより、破砕原料が、回転している原料供給回転シュート４のデッドストック領域７ｂに向けて投入される。運転を開始すると、まず、原料供給回転シュート４の底板７ａ上のデッドストック領域７ｂに、破砕原料によるデッドストックが形成される。しかる後、上方より投入されてデッドストック上に落下した破砕原料は、原料供給回転シュート４の回転による遠心力により、デッドストックの周りに均等に分散して、シュート周壁６の各原料放出用開口６ａより均等に放出される。
【００３８】
この場合、この原料供給装置では、従来のゴムタイヤからなる垂直支持輪とは違って、原料供給回転シュート垂直方向支持機構を構成する転がり軸受３により原料供給回転シュート４を垂直方向において上下動なく安定に支持することができる。また、前記転がり軸受３は、垂直方向だけでなく、水平方向の荷重支持が可能である。これにより、この原料供給装置では、従来装置とは違って、原料供給回転シュート上部のガイドリング８に当接する水平支持輪９Ａ〜９Ｃと、原料供給回転シュート底部下側に設けられた前記転がり軸受３とによって原料供給回転シュート４の上下部において水平方向に対する支持を行うようにしたので、原料供給回転シュート４を水平方向においても変動なく安定に支持することができる。
【００３９】
これにより、この原料供給装置によれば、デッドストック領域７ｂを有する原料供給回転シュート４を安定して円滑に回転させることができるので、前記原料供給回転シュート４の作用（機能）と相俟って破砕機破砕室に破砕原料を破砕室周方向において均等に供給することができ、破砕機破砕室のコーンケーブの偏摩耗を防ぐことができる。また、原料供給回転シュート４を回転可能に支持する水平方向及び垂直方向の機械的支持部分、つまり、水平支持輪９Ａ〜９Ｃの軸と軸受、及び垂直方向支持機構の回転シュート垂直支持軸２と転がり軸受３などの早期損傷を防止することができる。
【００４０】
また、この原料供給装置によれば、底板７ａ上のデッドストック領域７ｂに破砕原料によるデッドストックを形成させ、上方より投入される破砕原料をこのデッドストック上に落下させるようにしたので、底板７ａのデッドストック領域７ｂの摩耗を防ぐことができる。さらに、デッドストック領域７ｂを取り囲むように鋼製仕切り部材７ｄによる環状突起部を設けているので、２０〜３０ｍｍφ以下の細粒分が取り除かれた破砕原料の場合でも、確実にデッドストック領域７ｂ上にデッドストックを形成することができる。これに加えて、底板７ａ上には、デッドストック領域７ｂを除く残りの部分に底板用ライナ７ｃを設けるとともに、前記鋼製仕切り部材７ｄによる環状突起部により底板用ライナ７ｃのデッドストック領域７ｂに臨む直線辺の部分に破砕原料が衝突しないようにしてある。よって、これらのことにより、確実に底板７ａの保護を図ることができる。
【００４１】
また、この原料供給装置によれば、原料供給回転シュート５のシュート周壁６における隣合う原料放出用開口６ａの間の部分をサイド用ライナ６ｃを設けることでデッドストック領域となしているので、高速で大きな衝撃力にて衝突する破砕原料によるシュート周壁６の損傷を防止することができる。また、各サイド用ライナ６ｃの両側に鋼製仕切り部材６ｄを設けているので、前記デッドストック領域に確実にデッドストックを形成することができる。
【００４２】
なお、本実施の形態では、原料供給回転シュートとして底部にデッドストック領域７ｂを設けた構成としたものを例に説明したが、本発明はこれに限定されるものではなく、原料供給回転シュートが例えばデッドストック領域７ｂに代えて傾斜板を設けた構成としたものであってもよい。また、水平支持輪の数は３個より多い例えば４個のものであってもよい。また、駆動機として電動機に代えて油圧モータを用いることもできる。
【００４３】
【発明の効果】
以上述べたように、本発明による旋動式破砕機用原料供給装置は、旋動式破砕機の主軸上端支持機構の上部に設けられ、原料供給回転シュートの底部下側に設けられた転がり軸受を介して原料供給回転シュートを回転可能に支持する原料供給回転シュート垂直方向支持機構と、原料供給回転シュート上部の外周面に間隔をあけて配置された複数の水平支持輪とにより、原料供給回転シュートを垂直方向と水平方向とにおいて支持し、複数の水平支持輪のうち少なくとも１個の水平支持輪に結合された駆動機を回転駆動して原料供給回転シュートを回転させるように構成されている。これにより、本発明による旋動式破砕機用原料供給装置によれば、原料供給回転シュートを安定して円滑に回転させることができるので、破砕機破砕室に破砕原料を破砕室周方向において均等に供給することができ、破砕機破砕室のコーンケーブの偏摩耗を防いで、破砕品品質を良好に維持することができる。また、前記のように原料供給回転シュートを安定して円滑に回転させることができるので、原料供給回転シュートを水平方向において支持する水平支持輪の軸及び軸受、並びに、垂直方向において支持する垂直方向支持機構の回転シュート垂直支持軸及び転がり軸受などの早期損傷を防止することができる。
【００４４】
また、有底筒状をなし、底部にデッドストック領域を有するとともに、周壁に複数の原料放出用開口を有した構成となされた原料供給回転シュートを備えたものでは、上方より投入されてデッドストック上に落下した破砕原料を、原料供給回転シュートの回転による遠心力により、デッドストックの周りに均等に分散させ、原料供給回転シュートの周壁の各原料放出用開口より均等に放出させることができるので、このデッドストック領域を有する原料供給回転シュートの作用と前記した原料供給回転シュートの安定回転とが相俟って、より良好に、旋動式破砕機の破砕室に破砕原料を破砕室周方向において均等に供給することができる。
【図面の簡単な説明】
【図１】本発明の一実施形態による旋動式破砕機用原料供給装置の構成を示す平面図である。
【図２】図１に示す旋動式破砕機用原料供給装置の構成を説明するための正面縦断面図であって、原料供給回転シュートについては左半分を断面示してある。
【図３】図１，図２における原料供給回転シュートの左半分断面示正面図である。
【図４】図１，図２における原料供給回転シュートの平面図である。
【図５】図３における原料供給回転シュートの底部の縦断面図である。
【図６】従来の旋動式破砕機用原料供給装置の構成を示す縦断面図である。
【符号の説明】
１…取付けベース　２…回転シュート垂直支持軸　３…転がり軸受　４…原料供給回転シュート　５…底部端垂直円筒体　６…シュート周壁　６ａ…原料放出用開口　６ｂ…上部内周用ライナ　６ｃ…サイド用ライナ　６ｄ…鋼製仕切り部材　６ｅ…金属製突起体　６ｆ…回転シュート側プーリ　７…底部　７ａ…底板７ｂ…デッドストック領域　７ｃ…底板用ライナ　７ｄ…鋼製仕切り部材　８…ガイドリング　９Ａ〜９Ｃ…水平支持輪　１０…支持フレーム　１１…電動機１２…可動側ブラケット　１２ａ…長孔　１２ｂ…当接片　１３…固定側ブラケット　１４…調整ねじ保持金具　１５…調整ねじ　１６…可動側ブラケット　１６ａ…長孔　１６ｂ…当接片　１７…固定側ブラケット　１８…調整ねじ保持金具　１９…調整ねじ　３１…主軸　３２…上部軸受部　３３…上部フレーム　３４…スパイダアーム　３５…破砕機ホッパ
【図１】
2004113978.tif 000003
【図２】
2004113978.tif 000004
【図３】
2004113978.tif 000005
【図４】
2004113978.tif 000006
【図５】
2004113978.tif 000007
【図６】
2004113978.tif 000008